(57)【要約】【課題】消費される燃料または燃料等価的非燃料エネルギーの単位量に対して自動車がどれだけ走行可能であるか容易に理解できる情報を測定および表示する方法とシステムが必要とされている。【解決手段】システムは、電子制御ユニットと、エンジンと、燃料コントローラと、バッテリーと、バッテリー管理および制御ユニットと、表示装置とを含み、一定不変のエネルギー変換係数、または、リアルタイムで測定されるエネルギー変換効率損失数値または係数に基づいて、燃料等価的エネルギー消費総量を測定する。さらに、このシステムは、走行距離の１キロメートルまたは１マイルを走行するための燃料等価的コストも測定および表示する。さらに、このシステムは、測定された率および燃料等価的コストに基づいて自動車の動作も変化させる。【選択図】図１
2014136576.tif 000002
【特許請求の範囲】
【請求項１】
自動車の燃料等価的距離／エネルギー消費率を測定および表示するためのコンピュータベースの方法であって、
エンジンまたは燃料電池に接続されている燃料コントローラを使用して、燃料消費率または消費量を測定することと、
バッテリーに接続されているバッテリー管理および充電ユニット（ＢＭＣＵ）を使用して、電気エネルギー消費率または消費量を測定することと、
速度センサに接続されている電子制御ユニットを使用して、特定の時間期間中に自動車が走行する距離を測定することと、
前記電子制御ユニットを使用して、前記燃料消費率または消費量および前記電気エネルギー消費率または消費量に基づいて、および、前記時間期間中に走行した測定された距離に基づいて、前記燃料等価的距離／エネルギー消費率を測定することと、
消費された燃料等価的エネルギーの量に対する自動車の走行距離量を表示するための、前記燃料等価的距離／エネルギー消費率に基づいた指標を、前記電子制御ユニットに接続された表示装置を使用して表示すること
とを含む方法。
【請求項２】
前記測定された燃料消費率または消費量に基づいて、前記時間期間中に消費された燃料消費合計量を、前記電子制御ユニットを使用して測定することと、
前記測定された電気エネルギー消費率または消費量に基づいて、前記時間期間中に消費された燃料等価的電気エネルギー消費合計量を、前記電子制御ユニットを使用して測定すること
とをさらに含み、
前記燃料等価的距離／エネルギー消費率を測定する前記段階は、さらに、前記燃料消費合計量と前記燃料等価的電気エネルギー消費合計量とに基づいている
請求項１に記載の方法。
【請求項３】
前記電子制御ユニットを使用して、前記燃料消費合計量と前記燃料等価的電気エネルギー消費合計量とに基づいて燃料等価的総合エネルギー消費合計量を測定することをさらに含み、
前記燃料等価的距離／エネルギー消費率を測定する前記段階は、さらに、測定された前記燃料等価的総合エネルギー消費合計量に基づいている
請求項２に記載の方法。
【請求項４】
前記燃料等価的総合エネルギー消費合計量を測定する前記段階は、前記電子制御ユニットを使用して、前記燃料消費合計量と前記燃料等価的電気エネルギー消費合計量とを加算することを含み、
前記燃料等価的距離／エネルギー消費率を測定する前記段階は、前記電子制御ユニットを使用して、前記燃料等価的総合エネルギー消費合計量で前記時間期間中の走行距離を割り算することを含む
請求項３に記載の方法。
【請求項５】
前記燃料消費合計量を測定する前記段階は、前記電子制御ユニットを使用して、前記時間期間全体にわたっての前記燃料消費率または消費量を積分または加算することを含み、
前記燃料等価的電気エネルギー消費合計量を測定する前記段階は、前記電子制御ユニットを使用して、初期電気エネルギー消費合計量を得るために前記時間期間全体にわたっての前記電気エネルギー消費率または消費量を積分または加算することと、前記電子制御ユニットを使用して、前記初期電気エネルギー消費合計量にエネルギー変換係数を乗算することとを含む
請求項４に記載の方法。
【請求項６】
前記燃料等価的距離／エネルギー消費率を測定する前記段階は、前記自動車の動作中に周期的に行われる請求項５に記載の方法。
【請求項７】
前記バッテリー中に蓄積されている電気エネルギーの形に燃料エネルギーが変換される時に失われるエネルギーに相当するエネルギー損失数値または係数を、前記電子制御ユニットを使用して測定することをさらに含み、
前記燃料等価的燃料／エネルギー消費率を測定する前記段階は、さらに、前記測定されたエネルギー損失数値または係数に基づいている
請求項６に記載の方法。
【請求項８】
前記燃料消費率または消費量を測定する前記段階は、ガソリン、ディーゼル燃料、エタノール、バイオディーゼル燃料、天然ガス、プロパン、水素、および、これらの組み合わせから成るグループから選択される燃料の消費率または消費量に基づいている請求項１に記載の方法。
【請求項９】
エネルギー発生ユニットのエネルギー発生率または発生量を、前記自動車の前記電子制御ユニットと前記エネルギー発生ユニットとを使用して測定することをさらに含み、および、前記エネルギー発生ユニットは、太陽電池パネル、ラムインダクション発電機、回生制動ユニット、熱交換ユニット、または、これらの組み合わせを含み、
前記燃料等価的距離／エネルギー消費率を測定する前記段階は、さらに、前記エネルギー発生ユニットの前記測定されたエネルギー発生率または発生量に基づいている
請求項１に記載の方法。
【請求項１０】
前記指標は、前記燃料等価的総合エネルギー消費合計量の１ガロン当たりの走行距離のマイルの数値または分数、または、前記燃料等価的総合エネルギー消費合計量の１リットル当たりの走行距離のキロメートルの数値または分数に相当する請求項３に記載の方法。
【請求項１１】
前記電子制御ユニットを使用して燃料コスト量を受け取ることと、
前記電子制御ユニットを使用して電気コスト量を受け取ることと、
燃料等価的エネルギーコスト量が、前記時間期間全体にわたっての走行距離の１キロメートルまたは１マイルに関する燃料および燃料等価的非燃料エネルギーの消費コストに相当するように、前記受け取られた燃料コスト量と、前記受け取られた電気コスト量と、前記測定された燃料等価的距離／エネルギー消費率とに基づいて、前記電子制御ユニットを使用して前記燃料等価的エネルギーコスト量を測定することと、
前記測定された燃料等価的エネルギーコスト量に相当するコスト指標を、前記表示装置を使用して表示すること
とをさらに含む請求項１に記載の方法。
【請求項１２】
さらに、前記測定された燃料等価的距離／エネルギー消費率または前記測定された燃料等価的エネルギーコスト量に基づいて、前記エンジンの動作、または、前記ＢＭＣＵの充電または放電動作を、前記電子制御ユニットを使用して変化させることをさらに含む請求項１１に記載の方法。
【請求項１３】
前記燃料等価的距離／エネルギー消費率に基づいて各々が点灯または消灯される少なくとも１つまたは複数のライトを、前記表示装置によって提供することと、
前記燃料等価的距離／エネルギー消費率が増大−効率閾値よりも高い数値に増大する時に、前記１つまたは複数のライトの中の少なくとも１つのライトを、前記表示装置に接続されている表示コントローラを使用して点灯させることと、
前記燃料等価的距離／エネルギー消費率が減少−効率閾値よりも低い数値に減少する時に、前記１つまたは複数のライトの中の少なくとも１つのライトを、前記表示コントローラを使用して消灯させること
とをさらに含む請求項１に記載の方法。
【請求項１４】
自動車の燃料等価的距離／エネルギー消費率を測定および表示するためのコンピュータベースの方法であって、
特定の時間期間中のエンジンまたは燃料電池によって消費される燃料エネルギーの量に相当する第１のエネルギー消費合計量を、エンジンまたは燃料電池に接続されている燃料コントローラを使用して測定することと、
前記時間期間中に非燃料エネルギー源を使用して消費されるエネルギーの量に相当する第２のエネルギー消費合計量を、電子制御ユニットを使用して測定することと、
前記時間期間中に前記自動車が走行した距離を、前記電子制御ユニットとこの電子制御ユニットに接続されている速度センサとを使用して測定することと、
前記第１および第２の消費合計量に基づいて燃料等価的総合エネルギー消費合計量を、前記電子制御ユニットを使用して測定することと、
前記燃料等価的距離／エネルギー消費率が、前記燃料等価的総合エネルギー消費合計量の１ガロン当たりの走行マイルの数値または分数に相当するか、または、前記燃料等価的総合エネルギー消費合計量の１リットル当たりの走行キロメートルの数値または分数に相当するように、前記測定された燃料等価的総合エネルギー消費合計量と、前記測定された前記時間期間中の走行距離とに基づいて、前記燃料等価的距離／エネルギー消費率を、前記電子制御ユニットを使用して測定することと、
前記測定された燃料等価的距離／エネルギー消費率に基づいた指標を、前記電子制御ユニットに接続された表示装置を使用して表示すること
とを含む方法。
【請求項１５】
燃料コスト量を前記電子制御ユニットを使用して受け取ることと、
前記燃料等価的エネルギーコスト量が、前記時間期間全体にわたっての走行距離の１キロメートルまたは１マイルに関する燃料と燃料等価的非燃料エネルギーとの消費コストに相当するように、前記受け取られた燃料コスト量と前記測定された燃料等価的距離／エネルギー消費率とに基づいて、前記電子制御ユニットを使用して燃料等価的エネルギーコスト量を測定することと、
前記測定された燃料等価的エネルギーコスト量に相当するコスト指標を、前記表示装置を使用して表示すること
とをさらに含む請求項１４に記載の方法。
【請求項１６】
前記測定された燃料等価的距離／エネルギー消費率、または、前記測定された燃料等価的エネルギーコスト量に基づいて、前記エンジンの動作、または、前記ＢＭＣＵの充電または放電動作を、前記電子制御ユニットを使用して変化させることをさらに含む請求項１５に記載の方法。
【請求項１７】
自動車であって、
エンジンと、
前記エンジンに接続されており、かつ、前記エンジンの燃料消費率または消費量を測定するように構成されている燃料コントローラと、
バッテリーに接続されており、かつ、前記バッテリーの充電および放電を制御および監視するように構成されており、かつ、前記バッテリーの電気エネルギー消費率または消費量を測定するようにさらに構成されているバッテリー管理および充電ユニット（ＢＭＣＵ）と、
太陽電池パネル、ラムインダクション発電機、回生制動ユニット、熱交換ユニット、または、これらの組み合わせを含み、および、エネルギー発生率または発生量を有するエネルギー発生ユニットと、
前記エンジン、前記エネルギー発生ユニット、前記燃料コントローラ、および、前記ＢＭＣＵに接続されている電子制御ユニットであって、
特定の時間期間中に自動車が走行する距離を速度センサを使用して測定し、および、
前記測定された燃料消費率または消費量と、電気エネルギー消費率または消費量と、エネルギー発生率または発生量と、前記時間期間中に走行した距離とに基づいて、燃料等価的距離／エネルギー消費率を測定するように
構成されている、電子制御ユニットと、
前記電子制御ユニットに接続されており、かつ、前記測定された燃料等価的距離／エネルギー消費率に基づいた指標を表示するように構成されている表示装置であって、前記指標は、消費された燃料等価的エネルギーの量に関して自動車が走行した距離量に相当する、表示装置
とを備える、自動車。
【請求項１８】
前記電子制御ユニットは、さらに、
燃料コスト量を受け取り、
前記燃料等価的エネルギーコスト量が、前記時間期間全体にわたる走行距離の１キロメートルまたは１マイルに関する燃料と燃料等価的非燃料エネルギーとの消費コストに相当するように、前記受け取られた燃料コスト量と前記測定された燃料等価的距離／エネルギー消費率とに基づいて燃料等価的エネルギーコスト量を測定し、
前記測定された燃料等価的距離／エネルギー消費率に基づいて、または、前記測定された燃料等価的エネルギーコスト量に基づいて、前記エンジンの動作、または、前記ＢＭＣＵの充電または放電動作を変化させる
ように構成されており、
前記表示装置は、さらに、前記測定された燃料等価的エネルギーコスト量に相当するコスト指標を表示するように構成されている
請求項１７に記載の自動車。
【請求項１９】
前記電子制御ユニットは、さらに、
前記バッテリー中に蓄積される電気エネルギーに燃料エネルギーが変換される時に失われるエネルギーに相当する第１のエネルギー損失量と、
前記ＢＭＣＵまたは前記バッテリーに接続されている外部充電器を使用して前記バッテリーが充電される時に失われるエネルギーに相当する第２のエネルギー損失量と、
前記バッテリーが前記自動車の動作に電力供給するために放電される時に失われるエネルギーに相当する第３のエネルギー損失量と、
前記電子制御ユニットに接続されているかまたはその中に一体化されている記憶装置の中に記憶されているエネルギー効率データ
とに基づいてエネルギー損失数値または係数を測定するように構成されており、
前記電子制御ユニットは、さらに、前記測定されたエネルギー損失数値または係数に基づいて前記燃料等価的距離／エネルギー消費率を測定するように構成されている
請求項１７に記載の自動車。
【請求項２０】
前記指標は、前記測定された燃料等価的距離／エネルギー消費率に対応するテキストまたは数値であり、および、前記指標は、前記表示装置の表示スクリーン上に表示される請求項１７に記載の自動車。
【発明の詳細な説明】
【技術分野】
【０００１】
本発明は、燃料等価的距離／エネルギー消費率（ｆｕｅｌ−ｅｑｕｉｖａｌｅｎｔ  ｄｉｓｔａｎｃｅ−ｐｅｒ−ｅｎｅｒｇｙ  ｃｏｎｓｕｍｐｔｉｏｎ  ｒａｔｅ）を測定（ｄｅｔｅｒｍｉｎｅ：決定）および表示するための方法およびシステムに関し、および、さらに特に、特定の時間期間全体にわたって消費された燃料および非燃料エネルギー合計の１ガロン当たりの自動車が走行する距離のマイル数、特定の時間期間全体にわたって消費された燃料および非燃料エネルギー合計の１リットル当たりの自動車が走行する距離のキロメーター数を測定および表示するための方法およびシステムに関する。
【背景技術】
【０００２】
世界的なエネルギー価格の急速な上昇につれて、再充電可能なバッテリーを有する自動車のユーザが、特定の量の燃料の消費に対してその自動車がどれだけの距離を走行することが可能であるかを評価することに、ますます関心を寄せるようになっている。従来の自動車は燃料エネルギー源にだけ依存してきたので、自動車のユーザは、燃料１ガロン当たりの自動車の走行可能なマイル数（ＭＰＧ）、または、燃料１リットル当たりの自動車の走行可能なキロメーター数（Ｋｍ／ｌ）を評価することが習慣になっている。
【０００３】
ハイブリッド自動車およびプラグインハイブリッド自動車の場合には、単に燃料消費に基づいてＭＰＧまたはＫｍ／ｌ情報を提示することの欠点が、その自動車のユーザが、非燃料エネルギー消費（例えば、電気エネルギー消費）が計算に入れられないので、消費エネルギーの単位量当たりの自動車の走行可能距離の正確な評価が不可能であるということである。例えば、バッテリーが放電されており、これによってエネルギーを枯渇させることがあり、および、さらには、電気エネルギー消費が、自動車のユーザに対して表示される燃料ＭＰＧまたはＫｍ／ｌ情報において計算に入れられないだろう。
【０００４】
自動車ユーザが自動車のエネルギー効率を評価することを可能にするために、製造業者が、自動車ユーザに対してエネルギー効率情報を提供する新規性のある方法を求めてきた。エネルギー効率指標の欠点が、エンジニアリング専門家を除いた平均的な自動車ユーザにとってはエネルギー効率情報が不明瞭であり、理解し難いことがあるということである。
【発明の概要】
【発明が解決しようとする課題】
【０００５】
したがって、消費される燃料または燃料等価的非燃料エネルギー（ｆｕｅｌ−ｅｑｕｉｖａｌｅｎｔ  ｎｏｎ−ｆｕｅｌ  ｅｎｅｒｇｙ)の単位量に対して自動車がどれだけの距離を走行することが可能であるかに関する容易に理解可能な情報を測定および表示するための方法とシステムとが必要とされている。さらに、消費される総合的な燃料および燃料等価的非燃料エネルギー（ｔｏｔａｌ  ｆｕｅｌ  ａｎｄ  ｆｕｅｌ−ｅｑｕｉｖａｌｅｎｔ  ｎｏｎ−ｆｕｅｌ  ｅｎｅｒｇｙ）のガロンまたはリットルに基づいて燃料等価的ＭＰＧまたはＫｍ／ｌ率を測定および表示する方法およびシステムが必要とされている。さらに、総合的な燃料および燃料等価的非燃料エネルギーが消費される時間期間の全体にわたって走行距離の１キロメートルまたは１マイルを走行するためのコスト量（ｃｏｓｔ  ａｍｏｕｎｔ）に相当する、燃料等価的エネルギーコストを表示するための方法およびシステムが必要とされている。さらに、これに加えて、総合エネルギー効率を最大化する動作点に到達するためにエンジンの動作とバッテリーの充電／放電動作とを調整するための距離／エネルギー消費率（ｄｉｓｔａｎｃｅ−ｐｅｒ−ｅｎｅｒｇｙ  ｃｏｎｓｕｍｐｔｉｏｎ  ｒａｔｅ）を測定するための方法およびシステムが必要とされている。
【課題を解決するための手段】
【０００６】
本発明は、燃料等価的距離／エネルギー消費率を測定および表示するための方法およびシステムに関し、および、さらに特に、消費される総合的な燃料および非燃料エネルギーの１ガロン当たりの自動車が走行するマイル数、または、消費される総合的な燃料および非燃料エネルギーの１リットル当たりの自動車が走行するキロメーター数を測定および表示するための方法およびシステムに関する。一実施態様では、本発明は、例えば、自動車の燃料等価的距離／エネルギー消費率を測定および表示するためのコンピュータベースの方法であることがあり、この方法は、エンジンまたは燃料電池に接続されている燃料コントローラを使用して、燃料消費率または消費量を測定することと、バッテリーに接続されているバッテリー管理および充電ユニット（ＢＭＣＵ）を使用して、電気エネルギー消費率または消費量を測定することと、速度センサに接続されている電子制御ユニットを使用して、特定の時間期間中に自動車が走行する距離を測定することと、この電子制御ユニットを使用して、燃料および電気エネルギー消費率または消費量に基づいて、および、測定された時間期間中の走行距離に基づいて、燃料等価的距離／エネルギー消費率を測定することと、消費された燃料等価的エネルギーの量に対する自動車の走行距離量を表示するための、燃料等価的距離／エネルギー消費率に基づいた指標を、電子制御ユニットに接続された表示装置を使用して表示することとを含む。
【０００７】
別の実施態様では、本発明は、自動車の燃料等価的距離／エネルギー消費率を測定および表示するためのコンピュータベースの方法であることがあり、この方法は、エンジンまたは燃料電池に接続されている燃料コントローラを使用して、特定の時間期間中にエンジンまたは燃料電池によって消費される燃料エネルギーの量に相当する第１のエネルギー消費合計量を測定することと、電子制御ユニットを使用して、その時間期間中に非燃料エネルギー源を使用して消費されるエネルギー量に相当する第２のエネルギー消費合計量を測定することと、電子制御ユニットとこの電子制御ユニットに接続されている速度センサとを使用して、その時間期間中に自動車が走行した距離を測定することと、電子制御ユニットを使用して、第１および第２の消費合計量に基づいて燃料等価的総合エネルギー消費合計量を測定することと、電子制御ユニットを使用して、その時間期間中の測定された燃料等価的総合エネルギー消費合計量と測定された走行距離とに基づいて燃料等価的距離／エネルギー消費率を測定し、したがって、この燃料等価的距離／エネルギー消費率は、燃料等価的総合エネルギー消費合計量の１ガロン当たりの走行マイルの数または分数に相当し、または、燃料等価的総合エネルギー消費合計量の１リットル当たりの走行キロメーターの数または分数に相当することと、電子制御ユニットに接続されている表示装置を使用して、測定された燃料等価的距離／エネルギー消費率に基づいた指標を表示することとを含む。
【０００８】
さらに別の実施態様では、本発明は自動車であって、この自動車は、エンジンと、エンジンに接続されており、かつ、エンジンの燃料消費率または消費量を測定するように構成されている燃料コントローラと、バッテリーに接続されており、かつ、このバッテリーの充電および放電を制御および監視するように構成されており、かつ、このバッテリーの電気エネルギー消費率または消費量を測定するようにさらに構成されているバッテリー管理および充電ユニット（ＢＭＣＵ）と、太陽電池パネル、ラムインダクション発電機（ｒａｍ  ｉｎｄｕｃｔｉｏｎ  ｇｅｎｅｒａｔｏｒ）、回生制動ユニット、熱交換ユニット、または、これらの組み合わせを含み、および、エネルギー発生率または発生量を有するエネルギー発生ユニットと、エンジン、エネルギー発生ユニット、燃料コントローラ、および、ＢＭＣＵに接続されている電子制御ユニットであって、速度センサを使用して、特定の時間期間中に自動車が走行する距離を測定し、および、測定された燃料消費率または消費量と、電気エネルギー消費率または消費量と、エネルギー発生率または発生量と、時間期間中に走行した距離とに基づいて、燃料等価的距離／エネルギー消費率を測定するように構成されている電子制御ユニットとを含み、この自動車は、さらに、電子制御ユニットに接続されており、かつ、測定された燃料等価的距離／エネルギー消費率に基づいて指標を表示するように構成されている表示装置をさらに含み、この指標は、消費された燃料等価的エネルギーの量に対して自動車が走行する距離量に相当する。
【０００９】
本発明の他のシステムと方法と特徴と利点とが、次の図面と詳細な説明とを検討することによって、当業者にとって明らかであろうし、または、明らかになるだろう。こうしたすべての追加のシステムと方法と特徴と利点とがこの説明に含まれており、本発明の範囲内に含まれており、および、添付されている特許請求項によって保護されることが意図されている。図面に示されている構成部品は必ずしも同一の縮尺比で示されているわけではなく、および、本発明の重要な特徴要素をより適切に図示するために誇張されていることがある。これらの図面では、同じ照合番号が種々の図の全体を通じて同じ部品を示す。
【図面の簡単な説明】
【００１０】
【図１】図１は、本発明の実施形態による自動車のブロック図である。
【図２】図２は、本発明の実施形態によって、燃料等価的総合エネルギー消費合計量がどのように測定されるかを示す、制御ロジックのブロック図である。
【図３Ａ】図３Ａは、本発明の例示的な実施形態による自動車の動作中のバッテリーの充電状態（ＳＯＣ）の一例を示すグラフである。
【図３Ｂ】図３Ｂは、図３Ａに示されている本発明の実施形態による、バッテリーのＳＯＣの変化に応じた、燃料消費および燃料等価的総合エネルギー消費合計量における変化を示すグラフである。
【図４Ａ】図４Ａは、本発明の実施形態による燃料等価的距離／エネルギー率を測定および表示する方法を示す判断フローチャート図である。
【図４Ｂ】図４Ｂは、本発明の実施形態による燃料等価的距離／エネルギー率を測定および表示する方法を示す判断フローチャート図である。
【図５Ａ】図５Ａは、本発明の別の実施形態による燃料等価的距離／エネルギー率を測定および表示する方法を示す判断フローチャート図である。
【図５Ｂ】図５Ｂは、本発明の別の実施形態による燃料等価的距離／エネルギー率を測定および表示する方法を示す判断フローチャート図である。
【図６】図６は、本発明の実施形態による、自動車が動作させられている時にリアルタイムで測定および更新される、燃料等価的距離／エネルギー率と、コスト／走行距離と、総合エネルギー効率とを示す指標を有する、自動車の表示装置の表示スクリーンである。
【発明を実施するための形態】
【００１１】
図１を参照すると、本発明の実施形態による自動車１００のブロック図が示されている。この自動車１００は、電子制御ユニット１０２と、表示装置１０４と、エンジン１０６と、エンジン燃料コントローラ１０８と、エネルギー発生ユニット１１０と、充電器１１２と、バッテリー管理および制御ユニット（以下ではＢＭＣＵと呼ばれる）１１６と、バッテリー１１８と、自動車速度センサ１２０とを含むだろう。ＢＭＣＵ１１６は、バッテリー管理システム（ＢＭＳ）１１４と充電器１１２とを含むだろう。充電器１１２は、外部充電器に接続されるように構成されていることがある。自動車１００は、さらに、モータ／発電機とＨＶＡＣ（暖房、換気、および、空調）ユニットとを含むだろう。
【００１２】
自動車１００は、燃料源と非燃料エネルギー源とを使用することによって動作する。自動車１００は、本発明の範囲を限定することなしに、代替燃料自動車、ハイブリッド電気自動車、プラグインハイブリッド電気自動車、電気自動車、または、太陽電池駆動自動車、または、非燃料エネルギー源を使用する他のあらゆる自動車であるだろう。自動車１００は、あらゆるエネルギー形態のエネルギー消費を燃料等価的エネルギー消費率または消費量に変換することによって、燃料等価的距離／エネルギー消費率を測定および表示するだろう。
【００１３】
電子制御ユニット１０２は、制御エリアネットワーク（ＣＡＮ）バスを経由した電子信号の送信を使用して、表示装置１０４、エンジン１０６、エンジン燃料コントローラ１０８、ＢＭＳ１１４、充電器１１２、および、自動車１００の他のユニットに対する連続的または周期的な通信状態にあるだろう。他の実施形態では、制御および通信が、様々な他のタイプのシリアル通信リンク、直接的な配線、ディジタル通信バス、無線通信、または、他の通信リンクを経由しているだろう。
【００１４】
エンジン燃料コントローラ１０８は、内燃動作のためのエンジン１０６内への燃料噴射を制御および監視する。燃料消費率または消費量を測定するために、電子制御ユニット１０２は、エンジン燃料コントローラ１０８と周期的に通信し合っているだろう。燃料コントローラ１０８は燃料インジェクタシステムであるだろう。エンジン１０６に供給される燃料の量が、燃料インジェクタのパルス幅に部分的に基づいて測定されるだろう。エンジン燃料コントローラ１０８および／または電子制御ユニット１０２は、マスエアフローセンサ、酸素センサ、スロットルバルブの位置を監視するスロットル位置センサ、クーラント温度センサ、空気圧センサ、エンジン回転速度センサ、および／または、電子制御ユニット１０２が燃料消費率または消費量を測定することを可能にする信号を発生させる他の入力センサを使用して、燃料消費率を測定するだろう。電子制御ユニット１０２は、燃料消費量または消費値を測定するために、記憶装置（図示されていない）内に記憶されているルックアップテーブルまたはアルゴリズムまたはデータを使用するだろう。記憶装置は電子制御ユニット１０２と一体であるか、または、電子制御ユニット１０２に接続されているだろう。この電子制御ユニット１０２と記憶装置は、特定用途向け集積回路（ＡＳＩＣ）内に含まれているだろう。このＡＳＩＣは無線モデム内に含まれていることもある。代替策としては、電子制御ユニット１０２と記憶装置は、無線モデム内に別々の構成要素として含まれていることがある。
【００１５】
ガソリン、ディーゼル燃料、エタノール、バイオディーゼル燃料、天然ガス、プロパン、水素、または、これらの組み合わせを非限定的に含む、様々なタイプの燃料が自動車１００によって使用されるだろう。自動車１００は、エンジン１０６の代わりに、または、エンジン１０６に加えて、酸化剤を用いた化学反応によって燃料を変換することによってバッテリー１１８および／またはコンデンサを充電することが可能な燃料電池をさらに含むことがある。燃料消費合計量が、燃料消費率を測定するために、計算されて電子制御ユニット１０２と通信されるだろう。
【００１６】
燃料等価的距離／エネルギー消費率を測定するために、電子制御ユニット１０２は、特定の時間期間中の走行距離を測定するだろう。一実施形態では、電子制御ユニット１０２は、自動車速度センサ１２０を使用して、その特定の時間期間中の自動車の速度を測定するだろう。その次に、電子制御ユニット１０２は、その特定の時間期間中に自動車１００が走行する距離を測定するために、その特定の時間期間全体にわたっての自動車の速度を積分するだろう。
【００１７】
一実施形態では、バッテリー１１８は、自動車１００の動作のための電気エネルギーを提供する。バッテリー１１８は、自動車１００で使用されることが可能な任意の再充電可能なバッテリーであってよく、および、複数のバッテリーセルを含むだろう。このバッテリー１１８は、自動車１００によって蓄積される電気エネルギーの形に燃料エネルギーを変換することによって、モータ／発電機を使用して充電されるだろう。例えば全電気式自動車またはプラグインハイブリッド自動車の場合のように、バッテリー１１８は、充電器１１２またはバッテリー１１８に接続されている外部充電器を使用して充電されるだろう。
【００１８】
電気エネルギー消費は、バッテリー１１８を出入りする電気エネルギーを測定することによって測定されることが可能である。バッテリー１１８の充電状態（ＳＯＣ）のレベルの変化が、電気消費率または消費量を表示するだろう。ＢＭＳ１１４が、バッテリー１１８のＳＯＣを測定するために使用されるパラメータをセンサを使用して測定するだろう。このセンサは、電圧、電流、温度、電荷受容性、内部抵抗、自己放電、磁気特性、バッテリー１１８の正常性および／または他の状態またはパラメータを測定するだろう。一実施形態では、電子制御ユニット１０２は、バッテリー１１８の現在の充電容量を基準として、バッテリー１１８または自動車１００に蓄積されているエネルギー値に基づいてバッテリー１１８のＳＯＣパーセンテージまたは比率を測定するだろう。別の実施形態では、ＢＭＳ１１４は、自動車１００の内側に配置されている種々の負荷に対するバッテリー１１８の接続を選択的に作動させるためにリレーに対して制御信号を送ることが可能である。これらの負荷は、例えば、プログラム可能な記憶項目を有する自動車１００の種々のユニットまたはデバイスであることが可能である。電子制御ユニット１０２は、ＳＯＣまたは表示ＳＯＣを操作することがあり、または、操作しないこともある。一実施形態では、電子制御ユニット１０２は、表示装置１０４と自動車１００の他のユニットの動作とを制御するために、自動車１００またはバッテリー１１８のＳＯＣにアクセスすることができるだろう。
【００１９】
別の実施形態では、ＳＯＣは、記憶装置内に記憶されているバッテリー１１８に関する基準容量を基準として、記憶されているエネルギー値に基づいて測定されるだろう。さらに別の実施形態では、ＳＯＣは、バッテリー１１８に関連付けられている別の予め決められた値を基準として、パーセンテージまたは比率として測定されることがある。ＳＯＣは、エネルギーのアンペア時（Ａｈ）またはキロワット時（ｋＷ−ｈ）の形で測定されるだろう。別の実施形態では、電子制御ユニット１０２は、バッテリー１１８の測定ＳＯＣに基づいて表示ＳＯＣを決定し、したがって、表示ＳＯＣがＳＯＣ値の範囲に関して測定されたＳＯＣとは異なることがある。例えば、表示ＳＯＣは、測定されたＳＯＣが閾値よりも高い時に、その測定ＳＯＣよりも大きいパーセンテージに相当するだろう。一実施形態では、電子制御ユニット１０２は、燃料等価的消費率また消費量を測定するために表示ＳＯＣを使用することがある。ＳＯＣのパーセンテージ、値、または、数値を測定するための当業で公知の他のシステムまたは方法が、本発明の範囲を限定することなしに、自動車１００において使用されてもよい。
【００２０】
電子制御ユニット１０２は、バッテリー１１８のＳＯＣの変動に基づいて電気エネルギー消費の燃料等価的消費率を測定するだろう。例えば、ＳＯＣにおける３３．７ｋＷ−ｈの変化が、約１ガロンのガソリン中に蓄えられているエネルギーに相当するだろう。消費された電気エネルギーは、燃料等価的エネルギー量に変換され、および、後述するように、燃料等価的総合エネルギー消費合計量を得るために燃料消費合計量に加算されるだろう。燃料等価的総合エネルギー消費合計量のガロンまたはリットルの合計数値が測定され終わると、電子制御ユニット１０２は、例えばマイル／ガロン等価量（ＭＰＧ−ｅ）またはキロメートル／リットル等価量（Ｋｍ／ｌ−ｅ）の形で、燃料等価的距離／エネルギー消費率を測定するために、燃料等価的総合エネルギー消費合計量（ガロンまたはリットル）のエネルギー量で走行距離（マイルまたはキロメートル）を割り算するだろう。
【００２１】
一実施形態では、バッテリー１１８は、自動車１００の出発時の以前に外部充電器に接続されるだろう。一実施形態では、ＢＭＣＵ１１６は外部電源に接続されている。この外部電源は、自動車１００の外側に配置されている外部充電器に接続されている交流電源を含む。この外部充電器は、様々なタイプの電気自動車充電ステーション、壁埋め込み型電気充電ソリューション、または、住居環境または商業環境内で使用される電気自動車給電装置のいずれであってもよい。外部充電器は、図１に示されている本発明の一実施形態では自動車１００の内側に配置されていることがある充電器１１２に接続されている。充電器１１２は、外部電源から受け取られた交流電圧または交流電流を、バッテリー１１８に送られる直流電圧または直流電流に変換するための、交流／直流変換器に接続されているかまたはこれを含んでいるだろう。別の実施形態では、外部電源は、外部充電器を使用せずに、充電器１１２に接続されているか、または、ＢＭＳ１１４に接続されていることがある。さらに別の実施形態では、外部電源は直流電源であることがある。こうした実施形態では、充電器１１２は、交流／直流変換器に接続されることも交流／直流変換器を含むことも不要だろうし、および、自動車１００は直流／直流変換器を含むだろう。電子制御ユニット１０２は、ＢＭＣＵ１１４の充電／放電動作に基づいて、消費される燃料等価的電気エネルギーを測定するだろう。
【００２２】
蓄積される電気エネルギーは、外部電源を用いた充電、エンジン１０６からの燃料消費エネルギー、または、エネルギー発生ユニット１１０（例えば、回生制動）または他の手段によって発生させられるエネルギーであるだろう。一実施形態では、バッテリー１１８は、さらに、エネルギー発生ユニット１１０によって充電されることがあるコンデンサであることがある。補助的なモータ／発電機が、自動車１００を作動させるためのトルクまたは機械的力を供給するように構成されていることがある。エネルギー発生ユニット１１０は、太陽電池パネル、ラムインダクション発電機、回生制動ユニット、熱交換ユニット、または、これらの組み合わせを含むことがある。この補助的なモータ／発電機は、エンジン１０６によって供給されるトルクを補足するだろう。自動車１００は、さらに、バッテリー１１８を充電するためにエネルギー発生ユニット１１０によって使用される熱を発生させるためにエンジン１０６に連結されている触媒コンバータを含むことがある。この場合に、この補助的なモータ／発電機は、バッテリー１１８またはコンデンサを放電させることによって給電されるだろう。一実施形態では、電子制御ユニット１０２は、エネルギー発生ユニット１１０によって発生させられるエネルギーに基づいて、および、さらには、図５Ａおよび図５Ｂに関連して詳細に後述されているエネルギー発生動作のエネルギー変換効率に基づいて、燃料等価的非燃料エネルギー消費合計量を測定する。
【００２３】
一実施形態では、電子制御ユニット１０２は、燃料等価的距離／エネルギー消費率を周期的に（例えば、５００ミリ秒毎に）測定し、および、測定されたこの消費率を表示装置１０４に周期的に通信する。電子制御ユニット１０２または別の表示コントローラは、測定された燃料等価的距離／エネルギー消費率に基づいて画像を表示するように表示装置１０４に命じるだろう。電子制御ユニット１０２は、さらに、測定された燃料等価的距離／エネルギー消費率と、記憶装置内にアルゴリズムまたはルックアップテーブルとして記憶されているデータシーケンスとに基づいて、幾つかのライトまたは発光ダイオードを点灯または消灯するように表示装置１０４に命じるだろう。
【００２４】
本発明の利点の１つが、ＭＰＧ−ｅまたはＫｍ／ｌ−ｅをリアルタイムで表示および測定することによってエネルギー消費のより正確な表示をユーザに提示し、これによって、その自動車ユーザが自動車１００の総合的なエネルギー効率を評価することを可能にし、または、容易に理解可能でしかも正確な計量に基づいて、改善された総合的なエネルギー効率を実現するようにその自動車ユーザの運転習慣を調整することを可能にするということである。燃料消費だけに基づくＭＰＧ表示は、電気エネルギー消費が計算に入れられないので、エネルギー消費の正確な表示ではないだろう。従来の自動車において算出される距離／エネルギー消費は人為的に高いＭＰＧまたはＫｍ／ｌを示すだろう。本発明の別の利点が、電子制御ユニット１０２または別のコントローラ／プロセッサが、連続的に更新されるＭＰＧ−ｅまたはＫｍ／ｌ−ｅに基づいて、エンジン動作、充電／放電動作、電力制御、ＨＶＡＣ動作、自動車１００のユニットの調整または他の動作を改善するだろうということである。こうしたフィードバックシステムは、自動車１００の総合的なエネルギー効率を向上させる。
【００２５】
図２を参照すると、制御ロジックブロック図２００が、燃料等価的総合エネルギー消費合計量がどのように測定されるかを示す。燃料消費率または消費量２０２が、燃料の噴射率、噴射混合気中の燃料の体積、パルス幅、および、上述した他のパラメータを使用して、特定の時間期間中に測定されるだろう。燃料消費合計量２０６が、例えば、燃料量のガロン単位または他の燃料量の単位で表された初期燃料消費合計量を得るために、時間期間全体にわたっての燃料消費率または消費量２０２を積分または加算することによって、測定されるだろう。従来の自動車では、この後で、初期燃料消費合計量が、その時間期間中の走行距離を使用して、１ガロン当たりのマイル数（ＭＰＧ）または１リットル当たりのキロメートル数（Ｋｍ／ｌ）に変換される。しかし、ＭＰＧまたはＫｍ／ｌは、燃料消費比率に相当するだけであり、総合的エネルギー消費率には相当しないだろう。
【００２６】
制御ロジックブロック図２００は、さらに、例えば上述したバッテリー１１８のＳＯＣを監視することによって、電気エネルギー消費率または消費量２０４を測定するように構成されている。初期の燃料等価的電気エネルギー消費合計量が、特定の時間期間全体にわたっての電気エネルギー消費率または消費量２０４を積分または加算することによって測定されるだろう。この初期燃料等価的電気エネルギー消費合計量は、例えば燃料等価的単位（ガロンまたはリットル）で表された燃料等価的電気エネルギー消費合計量２０８に変換されるだろう。燃料消費合計量２０６と燃料等価的電気エネルギー消費合計量２０８の両方が燃料等価的単位で表現されることがあるので、電子制御ユニット１０２は、ガロンまたはリットルで表された燃料等価的総合エネルギー消費合計量２１０を得るために、これら２つの値を加算するだろう。ＭＰＧ−ｅまたはＫｍ／ｌ−ｅが、測定された燃料等価的総合エネルギー消費合計量２１０と特定の時間期間中に自動車１００が走行した距離とに基づいて、電子制御ユニット１０２を使用して計算されるだろう。
【００２７】
図３Ａと図３Ｂとを参照すると、燃料消費合計量３３０（従来の自動車においてＭＰＧを算出するために使用される）と、燃料等価的総合エネルギー消費合計量３５０との間の差が示されている。図３Ａは、自動車１００の動作中の時間（Ｘ軸上）の関数としてのバッテリー１１８のＳＯＣ（Ｙ軸上）の変化の一例のグラフである。ＳＯＣの変化が、図示のためにセグメント（３１２、３１４、３１６、３１８、３２０、３２２）に分割されている。図３Ｂは、バッテリー１１８のＳＯＣが自動車１００の動作中に変化する時の、燃料消費合計量３３０（実線で示されている）と燃料等価的総合エネルギー消費合計量３５０（破線で示されている）とを示す。燃料消費合計量３３０は燃料消費合計量２０６に相当し、および、燃料等価的総合エネルギー消費合計量３５０は、図２に関して上述した燃料等価的総合エネルギー消費合計量２１０に相当する。
【００２８】
一実施形態では、自動車１００は、二者択一的に電気または燃料で動作するハイブリッド自動車であるだろう。電池１１８のＳＯＣがセグメント３１２内において減少する時に、燃料はエンジン１０６内に噴射されていない。燃料消費合計量３３０は、セグメント３３２に示されているように、不変のままであるが、これは、電気エネルギーだけが減損しているからである。従来のリアルタイムＭＰＧ計算が人為的に高いＭＰＧを報告するだろうが、これは、燃料が消費されていないからである。しかし、この実施形態では、電子制御ユニット１０２は、セグメント３５２に示されているように燃料等価的総合エネルギー消費合計量３５０が上昇していることを認識する。同様のパターンが、セグメント３１６、３２２におけるバッテリー１１８のＳＯＣの変動と、セグメント３３６、３４２におけるそれぞれの燃料消費合計量と、セグメント３５６、３６２におけるそれぞれの燃料等価的総合エネルギー消費合計量とに当てはまる。セグメント３１４では、バッテリー１１８のＳＯＣは減損されておらず、かつ、自動車１００は燃料噴射からの燃料エネルギーだけによって動作している。セグメント３３４における燃料消費合計量３３０と、セグメント３５４における燃料等価的総合エネルギー消費合計量３５０は、同一の度合いまたは勾配で増加する。
【００２９】
燃料等価的総合エネルギー消費合計量３５０が、供給される電気エネルギーの供給源と、バッテリー１１８に蓄積されている供給電気エネルギーの形にエネルギーの形態を自動車１００がどのように変換するかとに依存していることがあるので、燃料等価的総合エネルギー消費合計量３５０を計算するために、バッテリー１１８のＳＯＣが増大している時に、電子制御ユニット１０２は、蓄積された電気エネルギーを提供する供給源を判別するだろう。図３Ａと図３Ｂとを参照すると、セグメント３１８では、自動車１００は、自動車１００を駆動しかつ同時にバッテリー１１８を充電するために燃料エネルギーを使用している。この結果として、燃料消費合計量３３０はセグメント３３８において増大する。燃料エネルギーの一部分が、自動車１００の動作のために後で使用するためにバッテリー１１８を充電することを介して蓄積されているので、燃料等価的総合エネルギー消費合計量３５０は、セグメント３３８において燃料消費合計量３３０が増大する比率よりも低い比率でセグメント３５８において増大する。セグメント３２０では、燃料エネルギーがバッテリー１１８を充電するために使用されるので、バッテリー１１８のＳＯＣは増大している。この結果として、燃料消費合計量３３０はセグメント３４０において増大する。こうした従来の自動車は、燃料エネルギーが自動車１００の動作のために後で使用されるようにバッテリー１１８を充電するために使用されているのに反して、燃料エネルギーが失われるかまたは動的エネルギーに変換されていると間違って想定するので、従来の自動車はリアルタイムでＭＰＧまたはＫｍ／ｌ値を減少させるだろう。しかし、本発明の一実施形態における電子制御ユニット１０２は、一形態のエネルギーが別に形態に変換されることを認識し、これによって、セグメント３６０において、燃料等価的総合エネルギー消費合計量３５０を概ね同一のレベルに維持する。別の実施形態では、電子制御ユニット１０２は、エネルギー変換効率と、バッテリー１１８の充電動作中に失われるエネルギーの量とに応じて、セグメント３６０において、燃料等価的総合エネルギー消費合計量３５０をわずかに増大させるだろう。要約すると、電子制御ユニット１０２は、セグメント３３８およびセグメント３４０において燃料消費合計量３３０が増大する比率よりも低い比率で、セグメント３５８およびセグメント３６０において燃料等価的総合エネルギー消費合計量３５０を増大させる。
【００３０】
本発明の一実施形態では、燃料が消費されて燃料消費合計量３３０の上昇を生じさせる場合に、および、これと同時に、エネルギー発生ユニット１１０の回生制動機構から発生させられるエネルギーを回収することによってバッテリー１１８のＳＯＣが増大する場合に、電子制御ユニット１０２は、（上述のセグメント３５８とセグメント３６０とは違って）燃料等価的総合エネルギー消費合計量３５０が増大する比率を減少させないだろう。この実施形態のための基礎的な根拠が、バッテリー１１８を充電するために供給される電気エネルギーが燃料エネルギーの消費からは直接的に得られないということである。この結果として、電子制御ユニット１０２は、バッテリー１１８のＳＯＣの増大の原因に基づいて、総合的なエネルギー効率、燃料消費合計量３３０、燃料等価的総合エネルギー消費合計量３５０、および、燃料等価的距離／エネルギー消費率を評価する。
【００３１】
同様に、燃料等価的総合エネルギー消費合計量３５０を算出するために、バッテリー１１８のＳＯＣが減少している時に、電子制御ユニット１０２は種々の放電動作を判別するだろう。例えば、自動車１００が静止状態にある間に、自動車１００のヘッドライト、ＨＶＡＣユニット、および／または、他のユニットのような補助的負荷に電力供給するためにバッテリー１１８が放電させられる場合には、電子制御ユニット１０２は、この補助的負荷によって消費される電気的エネルギーが自動車１００の駆動動作のためのエネルギー効率とは無関係であることを認識するだろう。したがって、静止状態では、電子制御ユニット１０２は、補助的負荷によって消費されるエネルギーに基づいて燃料等価的総合エネルギー消費合計量３５０をさほど大きく変更することはないだろう。
【００３２】
図４Ａおよび図４Ｂを参照すると、判断フローチャート図が、本発明の実施形態による燃料等価的距離／エネルギー率を測定および表示する方法を示す。電子制御ユニット１０２が、ステップ４１２において燃料消費合計量を測定するために、ステップ４０２において燃料消費率を測定し、ステップ４０８において特定の時間期間全体にわたって燃料消費率を積分するように構成されているだろう。ステップ４１２で測定された燃料消費合計量は、最初は任意の燃料単位量の形であり、消費された燃料のガロン数値またリットル数値に変換されるだろう。自動車１００の動作中に同時にリアルタイムで、電子制御ユニット１０２は、ステップ４２２において一定不変の変換率を使用して非燃料消費合計量を測定するために、ステップ４０４において非燃料消費率を測定し、および、ステップ４０６において特定の時間期間全体にわたって非燃料消費率を積分するだろう。
【００３３】
ステップ４０６では、この積分が、初期のエネルギー単位（例えばｋＷ−ｈ）で表現された数値または値をもたらし、および、その次に、等価の燃料（例えば、ガソリン）の等価のガロンまたはリットルの形に変換されるだろう。燃料等価的総合エネルギー消費合計量は、例えば、ステップ４１２からの燃料消費合計量とステップ４２２からの非燃料消費合計量とを加算することによって、ステップ４２４で決定されるだろう。自動車の動作中に同時にリアルタイムで、電子制御ユニット１０２は、ステップ４２６において、特定の時間期間中の自動車速度を測定し、および、上述したようにステップ４３０でその特定の時間期間全体にわたって走行した距離（Ｋｍまたはマイル単位）を測定するために、ステップ４２８においてその時間期間全体にわたって自動車速度を積分するだろう。ステップ４３２では、電子制御ユニット１０２は、ステップ４３０からの距離を、ステップ４２４からの燃料等価的総合エネルギー消費合計量で割り算する。測定された燃料等価的距離／エネルギー率は、ＭＰＧ−ｅまたはＫｍ／ｌ−ｅの単位で表現されるだろう。  
【００３４】
図４Ａおよび図４Ｂを参照すると、自動車１００の動作に先立って、または、自動車１００の動作中にリアルタイムで同時に、電子制御ユニット１０２は、例えば燃料１ガロンまたは１リットル当たりのコストに相当する燃料コスト量（ｆｕｅｌ  ｃｏｓｔ  ａｍｏｕｎｔ）をステップ４３４で受け取るだろう。この燃料コスト量は、種々の手段を介してかつ種々の通貨または形式で受け取られるかまたは予め決められるだろう。別の実施形態では、電気コスト量のような非燃料コスト量も受け取られることがある。例えば、電気コスト量は、自動車１００のユーザから、または、外部電源から受け取られることがある。電子制御ユニット１０２は、燃料等価的コスト量を測定するために、受け取られた燃料コスト量をステップ４１２からの燃料消費合計量に対して適用し、および、受け取られた非燃料コスト量をステップ４２２からの非燃料消費合計量に対して適用するだろう。その次に、電子制御ユニット１０２は、図６に関連して後述される特定の時間期間中に１キロメートルまたは１マイルを走行するためのコスト量に相当することがある測定された燃料等価的コスト量に基づいて、ステップ４３６において指標を決定して表示するだろう。電子制御ユニット１０２は、ステップ４３８における燃料等価的総合エネルギー消費合計量の１ガロン当たりの走行マイル数（ＭＰＧ−ｅ）、または、ステップ４４０における燃料等価的総合エネルギー消費合計量の１リットル当たりの走行キロメートル数（Ｋｍ／ｌ−ｅ）を示す指標を表示するように表示装置１０４に命じるだろう。電子制御ユニット１０２は、さらに、図６に関連して詳細に後述されるように、ステップ４４２においてＭＰＧ−ｅまたはＫｍ／ｌ−ｅに基づいて画像を表示することがある。
【００３５】
図４Ａおよび図４Ｂを参照すると、ステップ４４４では、より高い総合的なエネルギー消費効率を実現するように、ステップ４３２における測定された燃料等価的距離／エネルギー率に基づいて、電子制御ユニット１０２または別のコントローラ／プロセッサが、エンジンの動作と、充電／放電動作と、電力制御と、ＨＶＡＣ動作と、自動車１００のユニットの調整または他の動作とを改善するだろう。ステップ４４４が、さらに、燃料等価的コスト量を最小化するようにリアルタイムで自動車１００の種々のユニットの動作を変化させるために、ステップ４３６において測定された燃料等価的コスト量に基づいているだろう。こうしたフィードバックシステムが、リアルタイムで、自動車１００の総合的なエネルギー効率を向上させ、および／または、総合エネルギー消費のコストを最小化する。各々のステップがステップ４４６に示されているように周期的に（例えば、５００ミリ秒毎に）繰り返され、これによってステップ４４４のフィードバックシステムと、ステップ４３６、４３８、４４０、４４２における表示された画像および指標が、リアリアルタイムのエネルギー消費値に依存することを可能にする。
【００３６】
図５Ａおよび図５Ｂは、本発明のさらに別の実施形態による、（一定不変の予め決められた変換係数の代わりに）測定されたエネルギー損失数値または係数に基づいて燃料等価的距離／エネルギー率を測定および表示する方法を示す、判断フローチャート図である。ステップ５０２、５０４、５０６、５０８、５１２は、図４Ａおよび図４Ｂに関して上述したステップ４０２、４０４、４０６、４０８、４１２に相当する。一実施形態では、ステップ５１８において、図４Ａおよび図４Ｂに関連して説明した一定不変の変換係数を使用する代わりに、電子制御ユニット１０２は、エンジン１０６の現在動作、ＢＭＣＵ１１６の充電／放電動作、エネルギー発生ユニット１１０のエネルギー発生動作、エンジン燃料コントローラ１０８から受け取った燃料消費データ、運転者の運転習慣、多量のエネルギーが損失する自動車１００のＨＶＡＣユニットおよび／または他の装置によって消費される電力に関して受け取られたフィードバックに基づいて、エネルギー損失数値または係数を測定するだろう。
【００３７】
図５Ａおよび図５Ｂを参照すると、予め決められた一定不変の変換係数だけの代わりに、エネルギー損失数値または係数に基づいてエネルギー変換を使用するための基礎をなす根拠が、エネルギー損失量が、バッテリー１１８内に蓄積されている電気エネルギー源と、エネルギーの形態を電気エネルギーに変換する効率とに大きく依存するだろうということである。例えば、ハイブリッド電気自動車内のバッテリー１１８を充電するために燃料エネルギーが消費される時に、このエネルギーの一部分が、エンジン１０６内で、モータ／発電機内で、または、バッテリー１１８の充電動作中に失われるだろう。例えば、初期加速および低速度運転においては、モータ／発電機は、自動車１００に給電するためにバッテリー１１８からの電気を使用するだろう。バッテリー１１８が再充電される必要がある時には、モータ／発電機はエンジン１０６を始動し、エンジン１０６からのエネルギーを電気に変換し、この電気はバッテリー１１８内に蓄積される。電気エネルギーがバッテリー１１８内で使用可能となる前にこのプロセス中に失われるエネルギーは、自動車１００が静止状態にある際に電気エネルギーが外部電源（例えば、プラグインハイブリッド自動車の場合）から得られる時に失われるエネルギーよりも著しく大きい。したがって、電子制御ユニット１０２は、充電／放電動作に関する、充電器１１２またはＢＭＳ１１４から受け取られるデータに基づいて、電気エネルギー源を最初に判定するだろう。自動車１００が動作させられておらずかつ静止状態で外部電源によって充電されている場合には、エンジン動作中のエンジン効率とエネルギーの損失は無視されるだろう。
【００３８】
従来のハイブリッド自動車の場合には、バッテリー１１８内のエネルギーの大半または全部がエンジン１０６からすでに得られているので、正確なＭＰＧ−ｅまたはＫｍ／ｌ−ｅ表示が、エネルギー損失数値または係数の測定を必要とするだろう。標準的な条件では非燃料エネルギーの３３．７ｋＷｈが１ガロンのガソリンの中に蓄積されているエネルギーと等しいことがあるので、そのエネルギーの特定のパーセンテージだけが将来の使用のために利用可能であるにすぎないだろう。したがって、電子制御ユニット１０２は、エンジン効率と、バッテリー１１８内に蓄積される電気エネルギーに燃料エネルギーが変換されている時のエネルギー損失と、バッテリー１１８の充電動作中のエネルギー損失とを考慮に入れるだろう。例えば、図３Ａと図３Ｂとに関連して上述したように、燃料がセグメント３４０で消費され、および、消費されたエネルギーが電気エネルギーに変換される時には、エネルギー変換動作中に失われるエネルギーのせいで、燃料エネルギーの特定のパーセンテージだけしか自動車１００の動作における将来の使用のために利用できないので、燃料等価的総合エネルギー消費合計量３５０はわずかに増大するだろう。一実施形態では、記憶装置が、自動車１００の動作中のエンジン１０６の特定のトルクまたは回転速度にエネルギー損失量を対応させるエネルギー効率データを記憶するだろう。その次に、図５Ａおよび図５Ｂに示されているように、電子制御ユニット１０２は、ステップ５１４においてエンジンのトルクおよび回転速度データを受け取ることによって、および、ステップ５１６において、この受け取られたエンジンのトルクおよび回転速度に対応するエネルギー効率データを記憶装置から検索することによってエネルギー損失数値または係数をルックアップまたは計算することによって、ステップ５１８においてエネルギー損失数値または係数を測定するだろう。したがって、これらのステップは、自動車１００の現在の動作に基づいてステップ５２２において非燃料消費合計量を測定するために、自動車１００の動作中にリアルタイムで行われるだろう。ＨＶＡＣユニットの動作、ＢＭＣＵ１１６の充電／放電動作、運転パターン、エネルギー効率に関する他のデータ、および、これらの組み合わせに関する、同様のルックアップテーブル、アルゴリズム、または、データが、ステップ５３２においてさらに正確な燃料等価的距離／エネルギー率を測定するために、電子制御ユニット１０２によって使用されるだろう。残りの他のステップは、距離／エネルギー消費指標およびコスト／走行距離指標を表示するために、図４Ａおよび図４Ｂに関して説明したように行われるだろう。
【００３９】
図６は、本発明の例示的な実施形態による、自動車１００が動作させられる時にリアルタイムで各々が測定され更新される、燃料等価的距離／エネルギー率、測定された燃料等価的コスト量に対応するコスト／走行距離、および、総合エネルギー効率を示す指標を有する、自動車１００の表示装置１０４の表示スクリーン６００を示す。この画像は、ＬＣＤ、有機発光ディスプレイ、プラズマディスプレイ、発光ダイオード、または、データを表示するための任意の他の表示機構を使用して表示されるだろう。画像６０２は、測定されたコスト／走行距離と距離／エネルギー消費率とを様々な単位で表示するだろう。
【００４０】
図６に示されているように、総合エネルギー効率指標６０４は、さらに、現時点で実現されているエネルギー効率のレベルを自動車ユーザに示すためにも表示されるだろう。例えば、平均的エネルギー効率よりも高いエネルギー効率が実現されているが、運転習慣をさらに調整することによってその自動車ユーザがエネルギー効率を改善することが可能であるだろうということを、その自動車ユーザに示すために、１０つのバーの中からの６つのバーが表示されることがある。例えば、「増大−効率閾値」（ｉｎｃｒｅａｓｉｎｇ−ｅｆｆｉｃｉｅｎｃｙ  ｔｈｒｅｓｈｏｌｄ）と「減少−効率閾値」（ｄｅｃｒｅａｓｉｎｇ−ｅｆｆｉｃｉｅｎｃｙ  ｔｈｒｅｓｈｏｌｄ）とが記憶装置内に記憶されていることがある。ＭＰＧ−ｅまたはＫｍ／ｌ−ｅが増大−効率閾値よりも高く増大する時には、追加の水平バーが、より高いエネルギー効率値（ＭＰＧ−ｅまたはＫｍ／ｌ−ｅ）が現時点で実現されているということを表示するためにリアルタイムで点灯されるだろうし、および、ＭＰＧ−ｅまたはＫｍ／ｌ−ｅが減少−効率閾値よりも低く減少する時には、点灯されている水平バーが、より低いエネルギー効率値（ＭＰＧ−ｅまたはＫｍ／ｌ−ｅ）が現時点で実現されているということを表示するために、リアルタイムで消灯されるだろう。一実施形態では、電子制御ユニット１０２は、制御エリアネットワーク（ＣＡＮ）バスを経由した電子信号の送信を使用して、測定されたコスト／距離および燃料等価的距離／エネルギー率を含む監視されたパラメータを表示装置１０４に通信する。他の実施形態では、制御および通信は、様々な他のタイプのシリアル通信リンク、直接的な配線、ディジタル通信バス、無線通信リンク、または、他の通信リンクを経由しているだろう。
【００４１】
上記具体例に関連して説明した自動車１００のための論理モジュールおよびステップが、直接的にハードウェアとして、または、プロセッサによって実行されるソフトウェアモジュールとして、または、この２つの組み合わせとして具体化されるだろう。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または、当業で公知の任意の他の形態の記憶媒体の中に格納されるだろう。本発明の例示的な実施形態が、説明的な形式で開示されてきた。したがって、全体において使用されている術語は、非限定的なものとして理解されなければならない。本明細書の教示内容に対する軽微な変更が当業者にとって明らかであろうが、本明細書で保証される特許の範囲内に含まれることが意図されているものが、これによってもたらされる技術に対する進歩の範囲内に合理的に含まれているということと、添付されている特許請求項とその等価物との観点を除いては、この範囲が限定されてはならないということとが理解されなければならない。
【００４２】
以上のとおり、本稿は、概して以下の発明を開示するものである。すなわち、本発明の一態様において、自動車の燃料等価的距離／エネルギー消費率を測定および表示するためのコンピュータベースの方法は、エンジンまたは燃料電池に接続されている燃料コントローラを使用して、燃料消費率または消費量を測定することと、バッテリーに接続されているバッテリー管理および充電ユニット（ＢＭＣＵ）を使用して、電気エネルギー消費率または消費量を測定することと、速度センサに接続されている電子制御ユニットを使用して、特定の時間期間中に自動車が走行する距離を測定することと、電子制御ユニットを使用して、燃料消費率または消費量および電気エネルギー消費率または消費量に基づいて、および、時間期間中に走行した測定された距離に基づいて、燃料等価的距離／エネルギー消費率を測定することと、消費された燃料等価的エネルギーの量に対する自動車の走行距離量を表示するための、燃料等価的距離／エネルギー消費率に基づいた指標を、電子制御ユニットに接続された表示装置を使用して表示することとを含む。
【００４３】
この方法は、測定された燃料消費率または消費量に基づいて、時間期間中に消費された燃料消費合計量を、電子制御ユニットを使用して測定することと、測定された電気エネルギー消費率または消費量に基づいて、時間期間中に消費された燃料等価的電気エネルギー消費合計量を、電子制御ユニットを使用して測定することとをさらに含んでもよい。燃料等価的距離／エネルギー消費率を測定する段階は、さらに、燃料消費合計量と燃料等価的電気エネルギー消費合計量とに基づいてもよい。
【００４４】
この方法は、電子制御ユニットを使用して、燃料消費合計量と燃料等価的電気エネルギー消費合計量とに基づいて燃料等価的総合エネルギー消費合計量を測定することをさらに含んでもよい。燃料等価的距離／エネルギー消費率を測定する段階は、さらに、測定された燃料等価的総合エネルギー消費合計量に基づいてもよい。
【００４５】
燃料等価的総合エネルギー消費合計量を測定する段階は、電子制御ユニットを使用して、燃料消費合計量と燃料等価的電気エネルギー消費合計量とを加算することを含んでもよい。燃料等価的距離／エネルギー消費率を測定する段階は、電子制御ユニットを使用して、燃料等価的総合エネルギー消費合計量で時間期間中の走行距離を割り算することを含んでもよい。
【００４６】
燃料消費合計量を測定する段階は、電子制御ユニットを使用して、時間期間全体にわたっての燃料消費率または消費量を積分または加算することを含んでもよい。燃料等価的電気エネルギー消費合計量を測定する段階は、電子制御ユニットを使用して、初期電気エネルギー消費合計量を得るために時間期間全体にわたっての電気エネルギー消費率または消費量を積分または加算することと、電子制御ユニットを使用して、初期電気エネルギー消費合計量にエネルギー変換係数を乗算することとを含んでもよい。
【００４７】
燃料等価的距離／エネルギー消費率を測定する段階は、自動車の動作中に周期的に行われてもよい。この方法は、バッテリー中に蓄積されている電気エネルギーの形に燃料エネルギーが変換される時に失われるエネルギーに相当するエネルギー損失数値または係数を、電子制御ユニットを使用して測定することをさらに含んでもよい。燃料等価的燃料／エネルギー消費率を測定する段階は、さらに、測定されたエネルギー損失数値または係数に基づいてもよい。
【００４８】
燃料消費率または消費量を測定する段階は、ガソリン、ディーゼル燃料、エタノール、バイオディーゼル燃料、天然ガス、プロパン、水素、および、これらの組み合わせから成るグループから選択される燃料の消費率または消費量に基づいてもよい。この方法は、エネルギー発生ユニットのエネルギー発生率または発生量を、自動車の電子制御ユニットとエネルギー発生ユニットとを使用して測定することをさらに含んでもよい。エネルギー発生ユニットは、太陽電池パネル、ラムインダクション発電機、回生制動ユニット、熱交換ユニット、または、これらの組み合わせを含んでもよい。燃料等価的距離／エネルギー消費率を測定する段階は、さらに、エネルギー発生ユニットの測定されたエネルギー発生率または発生量に基づいてもよい。指標は、燃料等価的総合エネルギー消費合計量の１ガロン当たりの走行距離のマイルの数値または分数、または、燃料等価的総合エネルギー消費合計量の１リットル当たりの走行距離のキロメートルの数値または分数に相当してもよい。
【００４９】
この方法は、電子制御ユニットを使用して燃料コスト量を受け取ることと、電子制御ユニットを使用して電気コスト量を受け取ることと、燃料等価的エネルギーコスト量が、時間期間全体にわたっての走行距離の１キロメートルまたは１マイルに関する燃料および燃料等価的非燃料エネルギーの消費コストに相当するように、受け取られた燃料コスト量と、受け取られた電気コスト量と、測定された燃料等価的距離／エネルギー消費率とに基づいて、電子制御ユニットを使用して燃料等価的エネルギーコスト量を測定することと、測定された燃料等価的エネルギーコスト量に相当するコスト指標を、表示装置を使用して表示することとをさらに含んでもよい。
【００５０】
この方法は、測定された燃料等価的距離／エネルギー消費率または測定された燃料等価的エネルギーコスト量に基づいて、エンジンの動作、または、ＢＭＣＵの充電または放電動作を、電子制御ユニットを使用して変化させることをさらに含んでもよい。
【００５１】
この方法は、燃料等価的距離／エネルギー消費率に基づいて各々が点灯または消灯される少なくとも１つまたは複数のライトを、表示装置によって提供することと、燃料等価的距離／エネルギー消費率が増大−効率閾値よりも高い数値に増大する時に、１つまたは複数のライトの中の少なくとも１つのライトを、表示装置に接続されている表示コントローラを使用して点灯させることと、燃料等価的距離／エネルギー消費率が減少−効率閾値よりも低い数値に減少する時に、１つまたは複数のライトの中の少なくとも１つのライトを、表示コントローラを使用して消灯させることとをさらに含んでもよい。
【００５２】
本発明の他の態様において、自動車の燃料等価的距離／エネルギー消費率を測定および表示するためのコンピュータベースの方法は、特定の時間期間中のエンジンまたは燃料電池によって消費される燃料エネルギーの量に相当する第１のエネルギー消費合計量を、エンジンまたは燃料電池に接続されている燃料コントローラを使用して測定することと、時間期間中に非燃料エネルギー源を使用して消費されるエネルギーの量に相当する第２のエネルギー消費合計量を、電子制御ユニットを使用して測定することと、時間期間中に自動車が走行した距離を、電子制御ユニットとこの電子制御ユニットに接続されている速度センサとを使用して測定することと、第１および第２の消費合計量に基づいて燃料等価的総合エネルギー消費合計量を、電子制御ユニットを使用して測定することと、燃料等価的距離／エネルギー消費率が、燃料等価的総合エネルギー消費合計量の１ガロン当たりの走行マイルの数値または分数に相当するか、または、燃料等価的総合エネルギー消費合計量の１リットル当たりの走行キロメートルの数値または分数に相当するように、測定された燃料等価的総合エネルギー消費合計量と、測定された時間期間中の走行距離とに基づいて、燃料等価的距離／エネルギー消費率を、電子制御ユニットを使用して測定することと、測定された燃料等価的距離／エネルギー消費率に基づいた指標を、電子制御ユニットに接続された表示装置を使用して表示することとを含む。
【００５３】
この方法は、燃料コスト量を電子制御ユニットを使用して受け取ることと、燃料等価的エネルギーコスト量が、時間期間全体にわたっての走行距離の１キロメートルまたは１マイルに関する燃料と燃料等価的非燃料エネルギーとの消費コストに相当するように、受け取られた燃料コスト量と測定された燃料等価的距離／エネルギー消費率とに基づいて、電子制御ユニットを使用して燃料等価的エネルギーコスト量を測定することと、測定された燃料等価的エネルギーコスト量に相当するコスト指標を、表示装置を使用して表示することとをさらに含んでもよい。
【００５４】
この方法は、測定された燃料等価的距離／エネルギー消費率、または、測定された燃料等価的エネルギーコスト量に基づいて、エンジンの動作、または、ＢＭＣＵの充電または放電動作を、電子制御ユニットを使用して変化させることをさらに含んでもよい。
【００５５】
本発明のさらに他の態様において、自動車は、エンジンと、エンジンに接続されており、かつ、エンジンの燃料消費率または消費量を測定するように構成されている燃料コントローラと、バッテリーに接続されており、かつ、バッテリーの充電および放電を制御および監視するように構成されており、かつ、バッテリーの電気エネルギー消費率または消費量を測定するようにさらに構成されているバッテリー管理および充電ユニット（ＢＭＣＵ）と、太陽電池パネル、ラムインダクション発電機、回生制動ユニット、熱交換ユニット、または、これらの組み合わせを含み、および、エネルギー発生率または発生量を有するエネルギー発生ユニットと、エンジン、エネルギー発生ユニット、燃料コントローラ、および、ＢＭＣＵに接続されている電子制御ユニットであって、特定の時間期間中に自動車が走行する距離を速度センサを使用して測定し、および、測定された燃料消費率または消費量と、電気エネルギー消費率または消費量と、エネルギー発生率または発生量と、時間期間中に走行した距離とに基づいて、燃料等価的距離／エネルギー消費率を測定するように構成されている、電子制御ユニットと、電子制御ユニットに接続されており、かつ、測定された燃料等価的距離／エネルギー消費率に基づいた指標を表示するように構成されている表示装置であって、指標は、消費された燃料等価的エネルギーの量に関して自動車が走行した距離量に相当する、表示装置とを備える。
【００５６】
電子制御ユニットは、燃料コスト量を受け取り、燃料等価的エネルギーコスト量が、時間期間全体にわたる走行距離の１キロメートルまたは１マイルに関する燃料と燃料等価的非燃料エネルギーとの消費コストに相当するように、受け取られた燃料コスト量と測定された燃料等価的距離／エネルギー消費率とに基づいて燃料等価的エネルギーコスト量を測定し、測定された燃料等価的距離／エネルギー消費率に基づいて、または、測定された燃料等価的エネルギーコスト量に基づいて、エンジンの動作、または、ＢＭＣＵの充電または放電動作を変化させるように構成されてもよい。表示装置は、測定された燃料等価的エネルギーコスト量に相当するコスト指標を表示するように構成されてもよい。
【００５７】
電子制御ユニットは、バッテリー中に蓄積される電気エネルギーに燃料エネルギーが変換される時に失われるエネルギーに相当する第１のエネルギー損失量と、ＢＭＣＵまたはバッテリーに接続されている外部充電器を使用してバッテリーが充電される時に失われるエネルギーに相当する第２のエネルギー損失量と、バッテリーが自動車の動作に電力供給するために放電される時に失われるエネルギーに相当する第３のエネルギー損失量と、電子制御ユニットに接続されているかまたはその中に一体化されている記憶装置の中に記憶されているエネルギー効率データとに基づいて、エネルギー損失数値または係数を測定するように構成されてもよい。電子制御ユニットは、測定されたエネルギー損失数値または係数に基づいて燃料等価的距離／エネルギー消費率を測定するように構成されてもよい。
【００５８】
指標は、測定された燃料等価的距離／エネルギー消費率に対応するテキストまたは数値であり、および、指標は、表示装置の表示スクリーン上に表示されてもよい。
【符号の説明】
【００５９】
１００    自動車
１０２    電子制御ユニット
１０４    表示装置
１０６    エンジン
１１０    エネルギー発生ユニット
１１２    充電器
１１４    バッテリー管理システム
１１６    バッテリー管理および充電ユニット
１１８    バッテリー
１２０    自動車速度センサ
【図１】
2014136576.tif 000003
【図２】
2014136576.tif 000004
【図３Ａ】
2014136576.tif 000005
【図３Ｂ】
2014136576.tif 000006
【図４Ａ】
2014136576.tif 000007
【図４Ｂ】
2014136576.tif 000008
【図５Ａ】
2014136576.tif 000009
【図５Ｂ】
2014136576.tif 000010
【図６】
2014136576.tif 000011